(57)【特許請求の範囲】
【請求項１】
液透過性の表面シート、液不透過性の裏面シート及びこれら両シート間に介在する液保持性の吸収体を有しており、使用時に着用者の脚周りに位置する一対のレッグ部に、レッグギャザー形成用の糸状のレッグ部弾性部材が複数配されており、該レッグ部弾性部材は、それぞれの両端部を使い捨ておむつの長手方向の両端縁より内側に位置させて上記裏面シートと上記表面シートとの間に固定されている使い捨ておむつにおいて、
使い捨ておむつの長手方向の両端縁間に亘る所定幅の領域全体に接着剤が配され、上記レッグ部弾性部材は、該領域内で該接着剤により固定されてレッグギャザーを形成していると共に、該領域内における該レッグギャザーを形成している部分の前後それぞれに、該接着剤により固定されているがギャザーを形成していない非ギャザー形成部を有しており、
上記レッグ部弾性部材は、全長に亘って上記吸収体と重なっておらず、
上記領域内で上記レッグ部弾性部材の配設されていない端部領域における上記裏面シートと上記表面シートとの間が上記接着剤により接着されていることを特徴とする使い捨ておむつ。
【請求項２】
使用時に装着者の背中側に位置される背側部又は装着者の腹側に位置される腹側部の少なくとも一方に、ウエストギャザー形成用の糸状のウエスト弾性部材が複数配されており、上記ウエスト弾性部材は、それぞれの両端部を使い捨ておむつの幅方向の両端縁より内側に位置させて上記裏面シートと上記表面シートとの間に固定されており、
使い捨ておむつの幅方向の両端縁間に亘る所定幅の領域全体に接着剤が配され、上記ウエスト弾性部材は該領域内で該接着剤により固定されてウエストギャザーを形成しており、該領域内で上記ウエスト弾性部材の配設されていない端部領域における上記裏面シートと上記表面シートとの間が上記接着剤により接着されている請求項１記載の使い捨ておむつ。
【発明の詳細な説明】
【０００１】
【発明の属する技術分野】
本発明は、使い捨ておむつに関し、詳しくは、排泄物の漏れを確実に防止することができると共に、装着性に優れ且つ外観にも優れた使い捨ておむつに関する。
【０００２】
【従来の技術及び発明が解決しようとする課題】
従来の使い捨ておむつとして、図３に示されるような、液透過性の表面シート１２、液不透過性の裏面シート１３及びこれら両シート間に介在する液保持性の吸収体１４を有しており、使用時に着用者の脚周りに位置する一対のレッグ部に、レッグギャザー形成用の糸状のレッグ部弾性部材１５，１５・が複数配されている使い捨ておむつが知られている。そして、この使い捨ておむつにおける上記レッグ部弾性部材１５，１５は、それぞれの両端部１５ａ，１５ｂを使い捨ておむつの長手方向の両端縁１０ａ，１０ｂより内側に位置させて上記裏面シート１３と上記表面シート１２との間に固定されている。そして、このような使い捨ておむつにおいては、上記レッグ部弾性部材１５，１５・により、レッグギャザーが形成され、脚周りのフィット性が向上すると共に排泄物の漏れが防止される。
【０００３】
しかし、上記使い捨ておむつ１０においては、上記レッグ部弾性部材１５，１５・は、上記裏面シート１３を形成する連続シートに間欠的に接着剤を塗布した後、伸張状態で該連続シートに接着され、次いで、上記接着剤が塗布されていない部分で上記連続シートと共に切断されて上記レッグ部に固定されており、装着者のウエスト周りに位置するウエスト部１１に、上記連続シートで形成された裏面シート１３と表面シート１２との間に接着されていない部分Ｇ，Ｇが生じていた。
【０００４】
そのため、従来の使い捨ておむつ１０は、ウエスト部から排泄物が漏れるおそれがあり、また、上記非接着部分Ｇ，Ｇにおける剛性が不十分となる結果、使い捨ておむつの容易且つ確実な装着が妨げられるといった不都合が生じていた。更に、外観にも劣るものとなっていた。
また、上記使い捨ておむつ１０には、ウエスト周りに位置するウエスト部に、ウエストギャザー形成用のウエスト弾性部材（図示せず）が設けられているが、このウエスト弾性部材についても上記レッグ弾性部材におけるのと同様な問題があった。
【０００５】
従って、本発明の目的は、排泄物の漏れを確実に防止することができると共に、装着性に優れ且つ外観にも優れた使い捨ておむつを提供することにある。
【０００６】
【課題を解決するための手段】
請求項１に記載の発明は、液透過性の表面シート、液不透過性の裏面シート及びこれら両シート間に介在する液保持性の吸収体を有しており、使用時に着用者の脚周りに位置する一対のレッグ部に、レッグギャザー形成用の糸状のレッグ部弾性部材が複数配されており、該レッグ部弾性部材は、それぞれの両端部を使い捨ておむつの長手方向の両端縁より内側に位置させて上記裏面シートと上記表面シートとの間に固定されている使い捨ておむつにおいて、使い捨ておむつの長手方向の両端縁間に亘る所定幅の領域全体に接着剤が配され、上記レッグ部弾性部材は、該領域内で該接着剤により固定されてレッグギャザーを形成していると共に、該領域内における該レッグギャザーを形成している部分の前後それぞれに、該接着剤により固定されているがギャザーを形成していない非ギャザー形成部を有しており、上記レッグ部弾性部材は、全長に亘って上記吸収体と重なっておらず、上記領域内で上記レッグ部弾性部材の配設されていない端部領域における上記裏面シートと上記表面シートとの間が上記接着剤により接着されていることを特徴とする使い捨ておむつを提供することにより、上記目的を達成したものである。
【０００７】
また、請求項２に記載の発明は、請求項１に記載の使い捨ておむつにおいて、使用時に装着者の背中側に位置される背側部又は装着者の腹側に位置される腹側部の少なくとも一方に、ウエストギャザー形成用の糸状のウエスト弾性部材が複数配されており、上記ウエスト弾性部材は、それぞれの両端部を使い捨ておむつの幅方向の両端縁より内側に位置させて上記裏面シートと上記表面シートとの間に固定されており、使い捨ておむつの幅方向の両端縁間に亘る所定幅の領域全体に接着剤が配され、上記ウエスト弾性部材は該領域内で該接着剤により固定されてウエストギャザーを形成しており、該領域内で上記ウエスト弾性部材の配設されていない端部領域における上記裏面シートと上記表面シートとの間が上記接着剤により接着されている使い捨ておむつを提供するものである。
【０００８】
【発明の実施の形態】
以下、本発明の使い捨ておむつの一実施形態について図面を参照して説明する。ここで、図１は本形態の使い捨ておむつを示すもので、図１（ａ）は、本形態の使い捨ておむつの概略を一部切欠して示す平面図、図１（ｂ）は、図１（ａ）のＡ−Ａ線断面図である。
【０００９】
本形態の使い捨ておむつ１は、図１（ａ），（ｂ）に示されるように、液透過性の表面シート２、液不透過性の裏面シート２及びこれら両シート２，３間に介在する液保持性の吸収体４を有し、使用時に着用者の脚周りに位置する一対のレッグ部に、レッグギャザー形成用の糸状のレッグ部弾性部材５，５・が複数配されており、該レッグ部弾性部材５，５・は、それぞれの両端部５ａ，５ｂを使い捨ておむつ１の長手方向の両端縁１ａ，１ｂより内側に位置させて上記裏面シート３と上記表面シート２との間に固定されている、いわゆる展開型のおむつであり、使い捨ておむつの長手方向の両端縁１ａ，１ｂ間に亘る所定幅の領域Ｃ，Ｃ全体に接着剤が配され、上記レッグ部弾性部材５，５は該領域内で該接着剤により固定されてレッグギャザーを形成しており、上記領域Ｃ，Ｃ内で上記レッグ部弾性部材５，５・の配設されていない端部領域Ｃａ，Ｃａ・における上記裏面シート３と上記表面シート２との間が上記接着剤により接着されている。
【００１０】
更に、本形態の使い捨ておむつ１について詳述すると、図１に示すように、上記表面シート２及び上記裏面シート３は、おむつの長手方向中央部がくびれた砂時計状の形態を有し、上記吸収体４を介在させて互いに接着されている。
上記吸収体４の幅方向両側縁部から使い捨ておむつ１の幅方向両側縁部に至る領域が、使用時に着用者の脚周りに位置するレッグ部であり、左右に一対存在するレッグ部のそれぞれに、糸状のレッグ部弾性部材５，５が複数配されている。これらのレッグ部弾性部材５，５・・は、左右のレッグ部にそれぞれレッグギャザーを形成している。
【００１１】
使用時に装着者の背中側に位置される背側部１Ａの幅方向両側縁部には、おむつ止着用のファスニングテープ６が設けられ、使用時に装着者の腹側に位置される腹側部１Ｂの外側略中央部には、上記ファスニングテープ６を貼着させるランディングテープ（図示せず）が設けられている。上記ファスニングテープ６としては、粘着剤が塗布されてなる止着部６ａを有するテープや、「マジックテープ」（商品名、クラレ社製）等の機械的ファスナーのオス部材が設けられてなる止着部６ａを有するテープ等が用いられ、上記ランディングテープとしては、上記止着部６ａが止着するように、剥離処理が施されてなるテープや機械的ファスナーのメス部材が設けられたテープ等が用いられる。このような構成は、従来の使い捨ておむつと同様であり、上記表面シート２、上記裏面シート３、上記吸収体４等の形成材料としては、通常公知の各種の形成材料を特に制限なく用いることができる。
【００１２】
而して、本形態の使い捨ておむつ１においては、上記レッグ部弾性部材５，５を固定するために、図１に示されるように、使い捨ておむつの長手方向の両端縁１ａ，１ｂ間に亘る帯状の所定幅の領域Ｃ，Ｃ全体に接着剤が配されている。
上記所定幅とは、各領域Ｃ，Ｃ毎に、各領域に配される複数本（図１の例では二本）のレッグ部弾性部材５，５の全部をカバーし得る幅であり、各領域Ｃ，Ｃに配される弾性部材５の本数や弾性部材５自体の幅等に応じて決定される。
上記接着剤は、上記レッグ部弾性部材５を上記表面シート２及び／又は上記裏面シート３に接着させて固定し得るものであれば良く、通常公知の各種の接着剤を用いることができるが特にホットメルト接着剤が好ましく用いられる。また、上記接着剤は、上記表面シート２及び上記裏面シート３の少なくとも一方に塗布されていれば良く塗布の方法に特に制限はない。
【００１３】
上記レッグ部弾性部材５，５は、このような接着剤により上記裏面シート２と上記表面シート３との間に固定され、その中央部５Ｃが上記レッグギャザーを形成している。そして、レッグ部弾性部材５，５の両端部５ａ，５ｂは、それぞれ使い捨ておむつ１の長手方向の端縁部１ａ，１ｂよりも内側に位置しており、そのため、上記領域Ｃ，Ｃの両端部には、レッグ部弾性部材５，５が配設されていない上記端部領域Ｃａ，Ｃａ・が存在する。
【００１４】
そして、上記端部領域Ｃａ，Ｃａ・を含む領域Ｃ，Ｃ全体において、上記裏面シート３と上記表面シート２との間が上記接着剤により接着されている。但し、本形態の使い捨ておむつ１は、おむつの長手方向両端近傍における上記裏面シート３と上記表面シート２との間に、おむつの幅方向に沿って帯状のバリアシート８を有しており、このため上記端部領域Ｃａ，Ｃａ・において上記裏面シート３と上記表面シート２とは直接接着されておらず、レッグ部弾性部材５，５を挟んで上記バリアシート８と上記裏面シート３とが上記接着剤により接着されている。このバリアシート８の上記裏面シート３に接しない側の面は、上記接着剤と同様な接着剤により上記表面シート２に接着されており、上記裏面シート３と上記表面シート２との間は、各層間が隙間なく接着された密着構造を形成している。尚、上記バリアシート８は、液保持性の吸収体からの液拡散を防止する機能を有するものであり、液不透過性のシートや撥水性の紙シート等が使用される。
【００１５】
本実施形態の使い捨ておむつによれば、図１（ｂ）に示されるように、上記レッグ部弾性部材の両端５ａ，５ｂと上記使い捨ておむつの長手方向の両端縁１ａ，１ｂとの間の端部領域Ｃａ，Ｃａ・・においても上記裏面シート３と上記表面シート２との間が接着剤により接着されているため、ウエスト周りに剛性が不十分な部分を生じない。従って、装着が容易で、確実な装着が可能である。
また、上記裏面シート３と上記表面シート２との間に非接着部分がないため、該非接着部分の存在に起因する排泄物の漏れが防止される。また、外観にも優れており、不良品であるとの誤解を消費者に与えることもない。
【００１６】
次に、本発明の他の実施形態を理解する上での参考となる参考形態の使い捨ておむつ１’について図面を参照して説明する。ここで、図２は本形態の使い捨ておむつ１’を示す図であり、図２（ａ）は、使い捨ておむつ１’の概略を示す平面図、図２（ｂ）は、図２（ａ）のＢ−Ｂ線断面図である。
【００１７】
本形態の使い捨ておむつ１’は、図４に示すように、液透過性の表面シート２、液不透過性の裏面シート２及びこれら両シート２，３間に介在する液保持性の吸収体４を有し、使用時に装着者の背中側に位置される背側部１Ａ及び装着者の腹側に位置される腹側部１Ｂの双方に、ウエストギャザー形成用の糸状のウエスト弾性部材７，７・が複数配されており、上記ウエスト弾性部材７，７・は、それぞれの両端部７ｃ，７ｄを使い捨ておむつの幅方向の両端縁１ｃ，１ｄより内側に位置させて上記裏面シート３と上記表面シート２との間に固定されている使い捨ておむつであり、使い捨ておむつの幅方向の両端縁１ｃ，１ｄ間に亘る所定幅の領域Ｄ，Ｄ全体に接着剤が配され、上記ウエスト弾性部材７，７は該領域内で該接着剤により固定されてウエストギャザーを形成しており、上記領域Ｄ，Ｄ内で上記ウエスト弾性部材７，７・の配設されていない端部領域Ｄａ，Ｄａ・における上記裏面シート３と上記表面シート２との間が上記接着剤により接着されている。
【００１８】
上記ウエスト弾性部材７，７を設ける位置、即ち、上記所定幅の領域を設ける位置は、ウエストギャザーを形成しようとする位置により決定され、通常おむつ１の長手方向両端縁１ａ，１ｂから０〜１００ｍｍの範囲内、好ましくは、５〜５０の範囲内である。
本形態の使い捨ておむつ１’おいて、液透過性の表面シート２、液不透過性の裏面シート２及びこれら両シート２，３間に介在する液保持性の吸収体４を有する点、背側部１Ａ及び腹側部１Ｂの所定位置にそれぞれファスニングテープ及びランディングテープ（共に図示せず）が設けられている点、更に各部の形成材料等については、上述した使い捨ておむつ１と同様である。
【００１９】
本形態の使い捨ておむつ１’においては、上記背側部１Ａ及び上記腹側部１Ｂの双方に、ウエストギャザー形成用のウエスト弾性部材７，７・が配されている。ウエスト弾性部材７，７・は、上記背側部１Ａ及び上記腹側部１Ｂにそれぞれに三本づつ設けられており、各ウエスト弾性部材７，７・・は、それぞれの両端部７ｃ，７ｄを使い捨ておむつの幅方向の両端縁１ｃ，１ｄより内側に位置させて上記裏面シート３と上記表面シート２との間に固定され、その中央部７Ｃがウエストギャザーを形成している。
【００２０】
上記ウエスト弾性部材７，７・を固定するために、図２に示されるように、使い捨ておむつの幅方向の両端縁１ｃ，１ｄ間に亘る帯状の所定幅の領域Ｄ，Ｄ全体に接着剤が配されている。
上記所定幅とは、各領域Ｄ，Ｄ毎に、各領域に配される本数のウエスト弾性部材７，７・の全部をカバーし得る幅であり、各領域Ｄ，Ｄに配される弾性部材７の本数や弾性部材７自体の幅等に応じて決定される。上記接着剤及びその塗布方法等は、上述した使い捨ておむつ１におけるのと同様である。
【００２１】
上記ウエスト弾性部材７，７・は、その両端部７ｃ，７ｄは、それぞれ使い捨ておむつ１’の幅方向の両端部１ｃ，１ｄよりも内側に位置させて上記接着剤により上記裏面シート２と上記表面シート３との間に固定されている。
【００２２】
このように上記領域Ｄ，Ｄの両端部には、ウエスト弾性部材７，７・が配設されていない端部領域Ｄａ，Ｄａ・が生じているが、該端部領域Ｄａ，Ｄａ・においても上記裏面シート３と上記表面シート２との間は上記接着剤により接着されている。即ち、上記端部領域Ｄａ，Ｄａを含む上記領域Ｄ，Ｄ全体において上記裏面シート３と上記表面シート２との間は上記接着剤により接着されている。
但し、本形態の使い捨ておむつ１’においては、おむつの長手方向両端近傍における上記裏面シート３と上記表面シート２との間に、おむつの幅方向に沿って帯状のバリアシート８が二枚重ねて配設されており、この二枚のバリアシート８間が接着剤により接着され、その間に上記ウエスト弾性部材７，７・が挟み込まれている。尚、この二層のバリアシート８は、それぞれ上記裏面シート３又は上記表面シート２に上記接着剤と同様な接着剤により接着されており、上記裏面シート３と上記表面シート２との間は、各層間が隙間なく接着された密着構造を形成している。
【００２３】
本参考形態の使い捨ておむつ１’によれば、上記ウエスト弾性部材７，７の両端と上記使い捨ておむつの幅方向の両端縁１ｃ，１ｄとの間の端部領域Ｄａ，Ｄａ・においても上記表面シート２及び上記裏面シート３間が接着剤により接着されているため、端部領域Ｄａ，Ｄａ・においてもシートの剛性が確保され、おむつ１’の装着を容易且つ確実に行うことができる。
また、おむつ１’の装着時や取り外し時等に、背側部１Ａの左右両側部に設けられたファスニングテープ（図示せず）を強く引っ張っても、端部領域Ｄａ，Ｄａ・においてもシート間が密着構造を形成しており充分な強度が確保されているため、ファスニングテープの接着されたシート部分が破れたりすることがない。また、シートの剛性が確保されているので、ファスニングテープのランディングテープへの止着面が安定し、そのためランディングテープへの止着を容易且つ確実に行うことができる。
【００２４】
以上、本発明の好ましい実施形態である使い捨ておむつ及び参考形態の使い捨ておむつについて説明したが、本発明の使い捨ておむつは、本発明の趣旨を逸脱しない範囲で種々変更が可能である。
例えば、上記使い捨ておむつ１は、レッグ部弾性部材５，５・が設けられた例であり、上記使い捨ておむつ１’は、ウエスト弾性部材７，７・が設けられた例であるが、本発明の他の実施形態である使い捨ておむつにおいては、一つの使い捨ておむつに、上記レッグ部弾性部材及び上記ウエスト弾性部材の双方を上記と同様に設けてある。レッグ部弾性部材及び上記ウエスト弾性部材の双方を設けることにより、排泄物の漏れをより確実に防止することができ、また、装着性及び外観をより向上させることができる。また、上記ウエスト弾性部材を設ける場合、上記背側部１Ａ及び上記腹側部１Ｂの何れか一方に設けても良い。
【００２５】
また、上記レッグ部弾性部材及び上記ウエスト弾性部材としては、ある程度の幅を有する帯状のものであっても良く、その形成材料も、各種の天然ゴム、合成ゴム、スパンテックス等通常公知の各種の材料のものを用いることができる。
また、本発明において、上記端部領域Ｃａ又はＤａにおける上記裏面シート３と上記表面シート２との間は直接接着されていなくとも良く、上記両シート２，３間に他の単数又は複数のシートが配されており、それらの各層間が間隙なく接着され密着構造が形成されているものであっても良い。
【００２６】
【発明の効果】
本発明によれば、排泄物の漏れを確実に防止することができると共に、装着性に優れ且つ外観にも優れた使い捨ておむつを提供することができる。
【図面の簡単な説明】
【図１】  図１は本発明の一実施形態である使い捨ておむつを示す図であり、図１（ａ）は、使い捨ておむつの概略を一部省略して示す平面図、図１（ｂ）は、図１（ａ）のＡ−Ａ線断面図である。
【図２】  図２は本発明の参考形態である使い捨ておむつを示す図であり、図２（ａ）は、使い捨ておむつの概略を示す平面図、図２（ｂ）は、図２（ａ）のＢ−Ｂ線断面図である。
【図３】  図３は、従来の使い捨ておむつの概略を示す斜視図である。
【符号の説明】
１，１’                使い捨ておむつ
１Ａ                背側部
１Ｂ                腹側部
１ａ，１ｂ          端縁
２                      表面シート
３                      裏面シート
４                      吸収体
５                      レッグ部弾性部材
５ａ，５ｂ          両端部
５Ａ，５Ｂ          非ギャザー形成部
５Ｃ                中央部
６  ファスニングテープ
７  ウエスト弾性部材
７ｃ，７ｄ  両端部
７Ａ，７Ｂ  非ギャザー形成部
７Ｃ  中央部
Ｃａ，Ｄａ  端部領域
【図１】
0003929145.tif 000002
【図２】
0003929145.tif 000003
【図３】
0003929145.tif 000004